(57)【特許請求の範囲】
【請求項１】
アーム、支柱及びベッドを組み付けて形成されるミシンの機枠において、前記アーム及び前記支柱の外周面には、組み付け前に長手方向溝が形成されており、組み付け後は、前記各溝は係止溝を構成することを特徴とする、ミシンの機枠。
【請求項２】
前記各溝は、断面が略Ｔ字状を呈したＴ溝であることを特徴とする、請求項１記載のミシンの機枠。
【請求項３】
前記アーム及び前記支柱は、アルミ押し出し成形品であることを特徴とする請求項１又は請求項２記載のミシンの機枠。
【発明の詳細な説明】
【０００１】
【産業上の利用分野】
本発明は、ミシンの機枠に関する。
【０００２】
【従来の技術】
従来よりミシンは、上軸やヘッドを保持するアームと、アームを支えると共にモータやタイミングベルト等のミシン駆動装置を収容する支柱とから構成される機枠に、鋳物を使用していた。
【０００３】
しかしながら、鋳物は、生産性が悪いと共に、重く、加工が困難で、更には見栄えが悪く表面処理を施す必要があり工数が掛かる。このため、実公平６３−２１２５８号公報に開示される技術では、アーム、支柱、及びベッドをアルミ押し出し成形品でそれぞれ構成し締結している。
【０００４】
【発明が解決しようとする課題】
上記した従来技術では、アーム及び支柱をアルミ押し出し成形品で成形し、締結したことによって、鋳物で成形した場合の上記問題点を解決している。
【０００５】
ところで、ミシンにおいては、自動糸切り後の上糸を布の上に引き上げるためのワイパー装置や、針、はさみ等の付属品収納箱などの後付け部品を、その仕様によって取り付けたり取り外したりすることが多く行われていて、実公平６３−２１２５８号公報に開示されるミシン機枠に上記後付け部品を取り付ける場合には、ミシン機枠に取り付け用のボルトが貫通できる程度の貫通穴の設けるための加工を施す必要がある。
【０００６】
このため、前述したワイパー装置など取り付け位置に高精度を要求される部品の取付においては、貫通穴の加工位置の設定に工数が掛かる。更に、後付け部品が不要になって取り外した後、貫通穴が空いたままになっているので見栄えが劣る。
【０００７】
本発明は、後付け部品の取り付け、取り外し、及び高精度な位置決めを容易にできて、更に取り外した後でも見栄えが劣ることのないミシンの機枠を提供することを技術的課題とする。
【０００８】
【課題を解決するための手段】
上記した技術的課題を解決するために請求項１の発明において講じた技術的手段は、アーム、支柱及びベッドを組み付けて形成されるミシンの機枠において、前記アーム及び前記支柱の外周面には、組み付け前に長手方向溝が形成されており、組み付け後は、前記各溝は係止溝を構成するようにしたことである。
【０００９】
請求項２の発明において講じた技術的手段は、前記した請求項１の発明において講じた技術的手段の各溝を、断面が略Ｔ字状を呈したＴ溝としたことである。
【００１０】
生産性の向上、軽量化、見栄えの向上による表面処理の不必要化、更には加工を容易とするため、請求項３の発明において講じた技術的手段は、前記機枠及び前記支柱はアルミ押し出し成形品であることである。
【００１１】
【作用】
請求項１の発明においては、係止溝が機枠外面に長手方向に形成されているので、後付け部品を係止溝に係止させることにより容易に取り付け及び取り外しを行うことができる。又、後付け部品を機枠に固定する前は、機枠の長手方向に自在に移動させることができるので、高精度が要求される部品においても容易に位置決めを行うことができる。更に、取り付け用の孔を設けなくても取り付けを行うことができる。
【００１２】
請求項２の発明においては、予めＴ溝にナットを移動自在に嵌め込んでおき、後付け部品をボルトとナットで締めつけて固定できるようにすれば、ボルトを緩めることで容易に取り付け及び取り外しを行うことができる。又、ボルトを締める前は機枠の長手方向に自在に移動させることができるので、高精度が要求される部品においても容易に位置決めを行うことができる。更に、取り付け用の孔を設けなくても取り付けを行うことができる。
【００１３】
請求項３の発明においては、機枠及び支柱がアルミ押し出し成形品で構成されるため、生産性の向上、軽量化、見栄えの向上による表面処理の不必要化、更に加工を容易とすることができる
【００１４】
【実施例】
本発明に係る一実施例を図面に基づいて説明する。
【００１５】
図１は本実施例のミシンの機枠を採用したミシンの外観斜視図、図２は本実施例のミシン機枠の分解図である。図において、ミシンアームは第１機枠１０より、支柱は第２機枠２０より構成されている。これら第１機枠１０及び第２機枠２０は、アルミ押し出し成形品より構成されていて、更に機枠の長手方向に係止溝であるＴ溝１１、２１が設けられている。このため、生産性の向上、軽量化、見栄えの向上による表面処理の不必要化、更に加工を容易とすることができる。
【００１６】
このＴ溝１１、２１に、自動糸切り後の上糸を布の上に引き上げるワイパー装置や、針、はさみ等の付属品収納箱などの後付け部品４０を取り付けるには、Ｔ溝１１、２１内を移動自在なナット４１を嵌入し、ボルト４２とナット４１とで後付け部品４０を狭持して固定すればよい。そして、後付け部品４０の位置に高精度が要求される際には、ボルト４２を締めつける前に後付け部品４０の位置を調整してから締めつけるようにすればよい。
【００１７】
第１機枠１０は、一端面が第２機枠２０の外面に固定され、他端面には二点鎖線で示されるミシンヘッド３０が固定される。第１機枠１０は、上述したように第２機枠２０の外面に固定されるが、取り付け部において第１機枠１０を保持するための高い強度が必要となる。このため、第１機枠１０の端面及び第２機枠２０の外面に取り付け用の孔１２、２２が空けられて図示しないボルトで締結されると共に、Ｌ形ジョイント１３が後付け部品４０と同様な固定方法で第１及び第２機枠１０、２０の外面に取り付けられる。一方、ミシンヘッド３０は、第１機枠１０の他端面に設けられた図示しない取り付け孔にボルトで固定される。
【００１８】
第２機枠２０は、下端面が二点鎖線で示されるミシンベッド３１に固定され、上端面にはカバー３２が取り付けられる。第２機枠２０は、上述したようにミシンベッド３１に固定されるが、この取り付け構造は、第１機枠１０とミシンヘッド３１との取り付け構造と同様である。第２機枠２０には、図示しないミシンの上軸が貫通する孔２３が設けられていて、更に上軸を保持する軸受け部材２４が第２機枠２０の外面に後付け部品４０と同様な構造で取り付けられる。ここで、２５がナット、２６がボルトを示している。
【００１９】
本実施例においては、予めＴ溝１１、２１に移動自在に嵌入されたナット４１によって後付け部品４０をボルト４２と共同して締めつけ、固定できる構成であるため、ボルト４２を緩めることで容易に取り付け及び取り外しを行うことができる。
【００２０】
又、本実施例においては、ボルト４２を締める前は後付け部品４０を機枠１０、２０の長手方向に自在に移動させることができるので、高精度が要求される部品においても容易に位置決めを行うことができる。
【００２１】
又、本実施例においては、取り付け用の孔を設けなくても取り付けを行うことができるため、後付け部品４０を取り外した後でも見栄えが劣ることはない。
【００２２】
尚、上記した本実施例においては、係止溝としてＴ溝１１、２１を採用しているが、特にこの形状に限定するものではない。又、上記本実施例に示されるように、後付け部品４０以外にもＬ形ジョイント１３や、軸受け部材２４の位置決め及び取り付けも容易に行うことができる。又、上記した本実施例においては、図１に示されるように後付け部品４０として付属品収納箱を採用しているが、特にこれに限定するものではない。
【００２３】
【発明の効果】
請求項１の発明においては、後付け部品を係止溝に係止させることにより容易に取り付け及び取り外しを行うことができる。又、後付け部品を機枠に固定する前は、機枠の長手方向に自在に移動させることができるので、高精度が要求される部品においても容易に位置決めを行うことができる。更に、取り付け用の孔を設けなくても取り付けを行うことができるため、後付け部品を取り外した後でも見栄えが劣ることはない。又、針、はさみ等の付属品収納箱は使い勝手に合わせて位置を変更できることが望ましく、本発明においては容易に移動させることが可能である。
【００２４】
請求項２の発明においては、予めＴ溝にナットを移動自在に嵌め込んでおき、後付け部品をボルトとナットで締めつけて固定できるようにすれば、ボルトを緩めることで容易に取り付け及び取り外しを行うことができる。又、ボルトを締める前は機枠の長手方向に自在に移動させることができるので、高精度が要求される部品においても容易に位置決めを行うことができる。更に、取り付け用の孔を設けなくても取り付けを行うことができるため、後付け部品を取り外した後でも見栄えが劣ることはない。
【００２５】
請求項３の発明においては、機枠及び支柱がアルミ押し出し成形品で構成されるため、生産性の向上、軽量化、見栄えの向上による表面処理の不必要化、更に加工を容易とすることができる。
【図面の簡単な説明】
【図１】本発明に係るミシンの機枠を採用したミシンの外観斜視図を示す。
【図２】本発明に係るミシンの機枠の分解図を示す。
【符号の説明】
１０・・・第１機枠（ミシンアーム）
１１・・・Ｔ溝（係止溝）
２０・・・第２機枠（支柱）
２１・・・Ｔ溝（係止溝）
４０・・・後付け部品
【図１】
0003847355.tif 000002
【図２】
0003847355.tif 000003